(57)【要約】      （修正有）【課題】構造が簡単で、コストも比較的安い、屋外に水管を引く壁定位装置を提供する。【解決手段】壁を接続するための固定板１を含む。固定板１の板面にＵ型の挿入部２を設置され、挿入部２の上部にＴ字形のスロットを開設される。スロットの内に活動板３を設置され、活動板３の前端に水管固定ユニット４を設置される。水管固定ユニット４は、第一固定輪と第二固定輪を含み、第一固定輪と第二固定輪が全部半円である。第一固定輪は活動板３を接続する。第一固定輪と第二固定輪の内側面にもゴム製の水管滑り止めマットを設置される。水管滑り止めマットと第一固定輪や第二固定輪が凝着的に固定する。【選択図】図１
0003201428.tif 000002
【実用新案登録請求の範囲】
【請求項１】
パイプを引く壁定位装置において、壁を接続するための固定板を含み、固定板の板面にU型の挿入部が設置され、挿入部の上部にT字形のスロットが開設され、スロット内に活動板が設置され、活動板の前端に水管固定ユニットが設置され、水管固定ユニットは、第一固定輪と第二固定輪を含み、第一固定輪と第二固定輪が半円であり、第一固定輪は活動板に接続され、第一固定輪の両端には第一フランジが設置され、第二固定輪の両端には第二フランジが設置され、第一フランジと第二フランジの間には、ボルトが固定され、第一固定輪と第二固定輪の内側面にはゴム製の水管滑り止めマットが設置され、水管滑り止めマットと第一固定輪及び第二固定輪が固定されることを特徴とする壁定位装置。
【請求項２】
請求項１に記載の壁定位装置において、固定板が矩形で、固定板の板面に4つ以上の壁を接続するための接続穴が設置されることを特徴とする壁定位装置。
【請求項３】
請求項１に記載の壁定位装置において、水管滑り止めマットの内表面にすべり止めが設置されることを特徴とする壁定位装置。
【請求項４】
請求項１に記載の壁定位装置において、ボルトリングが二つ以上設置されることを特徴とする壁定位装置。
【考案の詳細な説明】
【技術分野】
【０００１】
本実用新案は、パイプを引く壁定位装置にかかる。
【背景技術】
【０００２】
屋外の水管を引く時、常に、水管の定位装置に頼って、水管が壁に固定し、水管を引いた後に、緩みを発生することが避ける。既存技術の中に、水管定位装置と水管の間の定位があまりしっかりしていないから、水管が固定に引いた後で、揺れやすい。同時に、この種類の水管固定件を損傷する場合には、全体の部品を取り替える必要があるので、高い使用コストによっている。同時に、交換や修理時に、全部の水管を解体する必要があり、非常に面倒くさい。
【考案の概要】
【考案が解決しようとする課題】
【０００３】
本実用新案が解決の技術問題は、パイプを引く壁定位装置を提供する。この装置は定位を完成した後で、水管が水管滑り止めマットを通じて固定され、水管の揺れることを避ける。この装置は、分割式の構造を採用する。後期が破損する時に、破損部分を置き換えるだけ、全部の部品を取り除く必要がない。
【課題を解決するための手段】
【０００４】
以上の問題を解決するために、本実用新案は以下の技術方案を採用する。パイプを引く壁定位装置は、壁を接続する用の固定板を含みる。固定板の板面にU型の挿入部を設置され、挿入部の上部にT字形のスロットを開設される。スロットの内に活動板を設置され、活動板の前端に水管固定ユニットを設置される。水管固定ユニットは、第一固定輪と第二固定輪を含みて、第一固定輪と第二固定輪が全部半円である。第一固定輪は活動板を接続する。第一固定輪の両端に第一フランジを設置され、第二固定輪の両端に第二フランジを設置される。第一フランジと第二フランジの間に、ボルトを固定する。第一固定輪と第二固定輪の内側面にもゴム製の水管滑り止めマットを設置される。水管滑り止めマットと第一固定輪や第二固定輪が凝着的に固定する。
【０００５】
優先的な技術方案として、固定板が矩形で、固定板の4つの頂角の位置に円弧で過渡する。固定板の板面に4つ以上の壁を接続する用の接続穴を設置され、この接続孔が階段穴である。
【０００６】
優先的な技術方案として、水管滑り止めマットの内表面にすべり止め用のグルーブを設置される。
【０００７】
優先的な技術方案として、ボルトリングが二つ以上を設置する。
【考案の効果】
【０００８】
本実用新案の有益効果は、この装置は定位を完成した後で、水管が水管滑り止めマットを通じて固定され、水管の揺れることを避ける。この装置は、分割式の構造を採用する。後期が破損する時に、破損部分を置き換えるだけ、全部の部品を取り除く必要がない、メンテナンスがとても便利である。また、この装置の構造が簡単で、コストも比較的に安い、広く使用を推進することに合う。
【図面の簡単な説明】
【０００９】
【図１】本実用新案の前面図である。
【考案を実施するための形態】
【００１０】
下で、付図を組み合わせて、本実用新案の好ましい実施例に詳しく述べる。本実用新案の長所と特徴は、本分野の技術者にもっとやすく理解され、本実用新案の保護範囲にはっきり明確な定義をするためである。
【００１１】
図1のパイプを引く壁定位装置を参考にし、この装置は、壁を接続するための固定板１を含む。固定板１の板面にU型の挿入部２を設置され、挿入部２の上部にT字形のスロット（図にない）を開設される。スロットの内に活動板３を設置され、活動板３の前端に水管固定ユニット４を設置される。水管固定ユニット４は、第一固定輪４０１と第二固定輪４０２を含みて、第一固定輪４０１と第二固定輪４０２が全部半円である。第一固定輪４０１は活動板３を接続する。第一固定輪４０１の両端に第一フランジ４１１を設置され、第二固定輪４０２の両端に第二フランジ４２２を設置される。第一フランジ４１１と第二フランジ４２２の間に、ボルト４０３を固定する。第一固定輪４０１と第二固定輪４０２の内側面にもゴム製の水管滑り止めマット４０４を設置される。水管滑り止めマット４０４と第一固定輪４０１や第二固定輪４０２が凝着的に固定する。
【００１２】
本実用新案の中で、好ましい実施例がある。固定板１が矩形で、固定板１の4つの頂角の位置に円弧で過渡する。固定板１の板面に4つ以上の壁を接続する用の接続穴１１１を設置され、この接続孔１１１が階段穴である。
【００１３】
本実用新案の中で、好ましい実施例がある。水管滑り止めマットの内表面にすべり止め用のグルーブ（図にない）を設置される。
【００１４】
本実用新案の中で、好ましい実施例がある。ボルトリング４０３が二つ以上を設置する。
【００１５】
本実用新案の有益効果は、この装置は定位を完成した後で、水管が水管滑り止めマットを通じて固定され、水管の揺れることを避ける。この装置は、分割式の構造を採用する。後期が破損する時に、破損部分を置き換えるだけ、全部の部品を取り除く必要がない、メンテナンスがとても便利である。また、この装置の構造が簡単で、コストも比較的に安い、広く使用を推進することに合う。
【００１６】
以上のものは、本実用新案の基本的な原理、主要な特徴と利点を表示と記述した。当業界の技術者が理解するべきことは、本実用新案が上記の実施例の制限を受けないである。上記の実施例と説明書の中で記述されたことは、本実用新案の原理を説明するだけである。本実用新案の精神と範囲を離れなく前提の下で、本実用新案は、また各種の変化と改善がある。これらの変化と改善ことは、本実用新案を保護する範囲に入る。本実用新案は、保護範囲が添付の権利請求書と同じ物に定義されることを要求する。
【符号の説明】
【００１７】
１  固定板
２  挿入部
３  活動板
４  水管固定ユニット
【図１】
0003201428.tif 000003